(57)【要約】【課題】作業効率に優れた絶縁操作棒の自立型スタンドを提供する。【解決手段】スタンド１０は、バケットＢｔの床面上に、一つ以上の共用操作棒７を自立状態で保持できる。スタンド１０は、矩形のシート部材１と複数の突起部材２を備える。シート部材１は、バケットＢｔの床面に載置できる。突起部材２は、シート部材１の一方の面から円柱状に突出している。複数の突起部材２は、千鳥格子状に規則的に配列している。三本の突起部材２で囲まれた隙間に、共用操作棒７の基端部を挿入すると、三本の突起部材２は、共用操作棒７の基端部をその外周方向から三点支持できる。これにより、共用操作棒７を傾倒が困難に自立できる。【選択図】図２
2019047562.tif 000002
【特許請求の範囲】
【請求項１】
少なくともバケットの床面上に、一つ以上の絶縁操作棒を自立状態で保持できる絶縁操作棒の自立型スタンドであって、
前記バケットの床面に載置自在なシート部材と、
前記シート部材の一方の面から円柱状に突出した複数の突起部材と、を備え、
これらの突起部材は、前記絶縁操作棒の基端部をその外周方向から三点支持が可能に規則的に配列している、絶縁操作棒の自立型スタンド。
【請求項２】
前記突起部材は、硬質の合成樹脂からなる、請求項１記載の絶縁操作棒の自立型スタンド。
【請求項３】
前記突起部材は、その先端部を半球状に形成している、請求項１又は２記載の絶縁操作棒の自立型スタンド。
【請求項４】
前記シート部材は、前記バケットの床面の全領域に亘り敷設している、請求項１から３のいずれかに記載の絶縁操作棒の自立型スタンド。
【請求項５】
前記突起部材は、軟質の合成樹脂からなり、
前記シート部材は、前記バケットの床面の一部の領域に敷設している、請求項１記載の絶縁操作棒の自立型スタンド。
【発明の詳細な説明】
【技術分野】
【０００１】
本発明は、絶縁操作棒の自立型スタンドに関する。特に、高所作業車のバケットの床面上に、一つ以上の絶縁操作棒を自立状態で保持できる、絶縁操作棒の自立型スタンドの構造に関する。
【背景技術】
【０００２】
高圧配電線を無停電状態で配電工事を行う活線作業には、直接活線工法と間接活線工法の二通りがあることが知られている。直接活線工法は、作業者が高圧ゴム手袋などの保護具を着用して、通電中の高圧配電線に直接触れて配電工事を行なっている。一方、間接活線工法は、作業者が絶縁操作棒（ホットスティック）などを用いて、通電中の高圧配電線に直接触れることなく配電工事を行なうことができる。
【０００３】
作業者が高所作業車のバケットに搭乗して、間接活線作業を実施する場合には、高圧配電線を把持、又は切断するなど、用途に対応した複数の絶縁操作棒をバケットに搭載している。そして、作業工程の一部が終了するまで、その他の用途の絶縁操作棒は、箱状のバケットの内部に立て掛けて保全していた。
【０００４】
しかし、複数の絶縁操作棒をバケットの内部に立て掛けて保全しておくと、作業者の移動を制限するという問題があった。又、保全されたこれらの絶縁操作棒に作業者の注意力が分散されて、間接活線作業の効率が停滞する心配があった。
【０００５】
複数の絶縁操作棒をバケットの内部に立て掛けて保全しておくと、このような不具合が生じることから、作業工程の一部が終了するまで、その他の用途の絶縁操作棒を有底筒状の収納袋に収納し、フックを用いて、この収納袋をバケットの外側に吊るすことで、バケットの内部を整然としておくことが考えられている（例えば、特許文献１参照）。
【０００６】
又、用途の異なる先端工具を共用できる共用操作棒の基端部に、円盤状の固定台を接続し、共用操作棒を起立状態でバケットの内部に自立させることで、バケットの内部の移動スペースを確保することが考えられている（例えば、特許文献２参照）。
【先行技術文献】
【特許文献】
【０００７】
【特許文献１】特開２０１２−１３５１２２号公報
【特許文献２】特開２０１４−９０５５７号公報
【発明の概要】
【発明が解決しようとする課題】
【０００８】
図７は、一例によるバケットの構成を示す斜視図である。図７を参照すると、高所作業車は、ブームＢｍの先端部に箱状のバケットＢｔを取り付けている。図７に示した例では、二人の作業者ＭがバケットＢｔに搭乗して電気工事に従事している。
【０００９】
図７を参照すると、作業者Ｍは、間接活線工事用の絶縁操作棒６を把持している。絶縁操作棒６の先端部には、例えば、高圧配電線Ｗｅをクランプできる先端工具６ｔを取り付けている。図７に示した例では、二人の作業者Ｍが絶縁操作棒６を操作して、高圧配電線Ｗｅをクランプしている。そして、絶縁操作棒６を操作して、高圧配電線Ｗｅを手許側に引き寄せる作業などを実施できる。
【００１０】
図７を参照して、作業工程の一部が終了するまで、その他の用途の絶縁操作棒６は、箱状のバケットＢｔの内部に立て掛けて保全していた。しかし、複数の絶縁操作棒６をバケットＢｔの内部に立て掛けて保全しておくと、作業者Ｍの移動を制限するという問題があることから、特許文献１に開示されているように、絶縁操作棒６を有底筒状の収納袋に収納し、フックを用いて、この収納袋をバケットＢｔの外側に吊るす案が考えられている。
【００１１】
図７を参照して、図示しない収納袋をバケットＢｔの外側に吊り下げた場合には、バケットＢｔの内部の作業スペースを広く使用できる。しかし、作業者Ｍが絶縁操作棒６を収納袋から取り出し損ねてバケットＢｔから落下させる心配がある。特に、収納袋には、用途の異なる複数の絶縁操作棒６を入れざるを得ないが、形状が多様な絶縁操作棒６が収納袋の内部において重なり合い又は絡み合うことで、目的の絶縁操作棒６が容易に取り出することが困難になるという心配がある。
【００１２】
図８は、一例による共用操作棒の構成を示す正面図である。図９は、図８の先端部側及び基端部側を拡大した斜視図である。図１０は、共用操作棒の先端部に着脱自在な先端工具の一例による構成を示す正面図である。
【００１３】
図８を参照すると、一例による共用操作棒７は、工具部７１、柄部７２、及び把持部７３を備えている。工具部７１には、後述するバインド打ち器８などの先端工具を着脱自在となっている（図１０参照）。把持部７３は、作業員が把持し易いように滑り止めを施こしている。柄部７２は、工具部７１と把持部７３とを連結し、絶縁性を有する長尺の管体からなっている。
【００１４】
図８を参照すると、柄部７２は、円錐体状の水切り鍔７ａを中間部に取り付けている。水切り鍔７ａは、工具部７１から進出する水を堰き止めることができる。又、柄部７２と把持部７３との接続部には、円錐体状の限界鍔７ｂを取り付けている。限界鍔７ｂの取り付け位置は、絶縁性を考慮して、共用操作棒７を安全に作業できる限界を示している。
【００１５】
図８又は図９を参照すると、工具部７１は、円柱状の軸部７１ａと一対のピン７１ｂ・７１ｂを備えている。又、工具部７１は、プッシュロッド７１ｃとリングナット７１ｄを有している。軸部７１ａは、柄部７２の軸方向に突出している。一対のピン７１ｂ・７１ｂは、相反する向きに軸部７１ａの外周から突出している。
【００１６】
図９を参照すると、プッシュロッド７１ｃは、工具部７１に内蔵された圧縮コイルばね（図示せず）によって、力を付勢され、軸部７１ａの先端面から突出している。
【００１７】
図９を参照すると、リングナット７１ｄは、軸部７１ａの下方に配置されている。リングナット７１ｄは、軸部７１ａと螺合している。リングナット７１ｄを一方の方向に回転すると、後述するバインド打ち器８のジョイント部８１の底面に当接して（図１０参照）、バインド打ち器８を固定できる。リングナット７１ｄを他方の方向に回転すると、後述するバインド打ち器８のジョイント部８１の底面（図１０参照）からリングナット７１ｄが離れて、バインド打ち器８を解放できる。
【００１８】
図８又は図９を参照すると、共用操作棒７は、円筒状のジョイント部７４を基端部に更に備えている。ジョイント部７４は、底面が開口された円筒状に形成している。ジョイント部７４には、後述する固定台９の軸部９１ａが嵌合する軸穴７４ａを有している（図１１参照）。
【００１９】
又、図８又は図９を参照すると、ジョイント部７４には、一対のＴ字状の係合溝７４ｂ・７４ｂを有している。後述する固定台９の一対のピン９１ｂ・９１ｂを軸穴７４ａの軸方向に挿入した後に（図１１参照）、これらの９１ｂ・９１ｂを軸穴７４ａの周方向に回動することで、これらのピン９１ｂ・９１ｂを係合溝７４ｂ・７４ｂに係合できる。つまり、図８に示した共用操作棒７には、後述する固定台９を接続できる。
【００２０】
上述したような係合手段は、ツイストロックと呼ばれている。そして、図８又は図９を参照して、後述する固定台９とジョイント部７４が嵌合した状態では（図１２参照）、プッシュロッド９１ｃが軸穴７４ａの上壁を弾圧すると共に、リングナット９１ｄが軸穴７４ａの底面に当接して、ジョイント部７４に後述する固定台９を確実に固定できる。
【００２１】
例えば、図８又は図９を参照して、共用操作棒７の工具部７１には、フック形状のバインド打ち器８などの先端工具を取り付けることができる（図１０参照）。
【００２２】
図１０を参照すると、バインド打ち器８は、共用操作棒７の工具部７１に着脱自在に取り付けできる（図８又は図９参照）。バインド打ち器８は、円筒状のジョイント部８１を基端部に備えている。
【００２３】
図１０を参照すると、ジョイント部８１は、底面が開口された円筒状に形成している。ジョイント部８１には、軸部７１ａ（図９参照）が嵌合する軸穴８１ａを有している。又、ジョイント部８１には、一対のＴ字状の係合溝８１ｂ・８１ｂを有している。一対のピン７１ｂ・７１ｂ（図９参照）を軸穴８１ａの軸方向に挿入した後に、これらのピン７１ｂ・７１ｂを軸穴８１ａの周方向に回動することで、これらのピン７１ｂ・７１ｂを係合溝８１ｂ・８１ｂに係合できる。
【００２４】
図８から図１０を参照して、工具部７１とジョイント部８１が嵌合した状態では、プッシュロッド７１ｃが軸穴８１ａの上壁を弾圧すると共に、リングナット７１ｄが軸穴８１ａの底面に当接して、バインド打ち器８を工具部７１に確実に固定できる。なお、バインド打ち器の名称は、高圧配電線を碍子に支持するバインド線を操作できることに由来している。
【００２５】
図８又は図９に示した共用操作棒７は、間接活線工事に好適な絶縁操作棒の一種であるが、異なる用途の先端工具を接続自在に共用できることから、特に、「共用操作棒」と呼ばれている。
【００２６】
図１１は、共用操作棒を自立可能な固定台の構成を示す斜視図である。図１２は、共用操作棒を自立可能な固定台の構成を示す正面図であり、共用操作棒を固定台に連結した状態図である。なお、本願の図１１と図１２は、特許文献２の図１と図２に相当している。
【００２７】
図１１又は図１２を参照して、共用操作棒７の基端部に固定台９を接続することで、共用操作棒７を自立できる。これにより、共用操作棒７をバケットＢｔの床面に立設でき、共用操作棒７の転倒を防止できる。又、共用操作棒７を自立させることで、作業者の移動を制限することなく、バケットＢｔの内部を整理できる。
【００２８】
図１１又は図１２を参照すると、共用操作棒用の固定台９は、円柱状の接続部９１と円錐台状の土台部９２で構成している。図１１を参照すると、接続部９１は、円柱状の軸部９１ａと一対のピン９１ｂ・９１ｂを備えている。又、接続部９１は、プッシュロッド９１ｃとリングナット９１ｄを有している。軸部９１ａは、接続部９１の軸方向に突出している。一対のピン９１ｂ・９１ｂは、相反する向きに軸部９１ａの外周から突出している。
【００２９】
図１１を参照すると、プッシュロッド９１ｃは、接続部９１に内蔵された圧縮コイルばね（図示せず）によって、力を付勢され、軸部９１ａの先端面から突出している。
【００３０】
図１１を参照すると、リングナット９１ｄは、軸部９１ａの下方に配置されている。リングナット９１ｄは、軸部９１ａと螺合している。リングナット９１ｄを一方の方向に回転すると、共用操作棒７のジョイント部７４の底面に当接して（図９参照）、共用操作棒７と連結できる。リングナット９１ｄを他方の方向に回転すると、共用操作棒７のジョイント部７４の底面（図９参照）からリングナット９１ｄが離れて、固定台９から共用操作棒７を解放できる。
【００３１】
図１１又は図１２を参照すると、土台部９２は、接続部９１を同軸上に配置している。土台部９２は、金属又は合成樹脂などでその内部が充填されることで、共用操作棒７より重くなっている。
【００３２】
又、図１２を参照すると、土台部９２は、その底面の直径Ｄが共用操作棒７の限界鍔７ｂの外径ｄより大きく形成している。これにより、特許文献２による固定台９は、共用操作棒７の基端部に固定台９を接続した状態では、共用操作棒７の転倒を防止できる、としている。
【００３３】
図１１又は図１２を参照すると、特許文献２による固定台９は、共用操作棒７の基端部に固定台９を接続することで、共用操作棒７をバケットＢｔの床面に立設でき、共用操作棒７の転倒を防止できる、としている。又、特許文献２による固定台９は、作業者の移動を制限することなく、バケットＢｔの内部を整理できる、としている。
【００３４】
しかし、特許文献２による固定台９は、土台部９２の底面積が大きく、床面積が限定されたバケットＢｔの内部に複数の共用操作棒７を立設するには、その本数に制約がある、という問題がある。又、特許文献２による固定台９は、自立させる絶縁操作棒が基端部にジョイント部を有する共用操作棒７に限定され、例えば、先端部に一対の把持腕を有する絶縁操作棒、いわゆる、絶縁ヤットコをバケットＢｔの内部に自立させることが困難である、という問題がある。
【００３５】
従来技術による円盤状の固定台を用いることなく、用途の異なる多数の絶縁操作棒をバケットの内部に効率よく立設できる絶縁操作棒の自立型スタンドが求められている。そして、以上のことが本発明の課題といってよい。
【００３６】
本発明は、このような課題に鑑みてなされたものであり、用途の異なる多数の絶縁操作棒をバケットの内部に効率よく立設できる絶縁操作棒の自立型スタンドを提供することを目的とする。
【課題を解決するための手段】
【００３７】
本発明者は、バケットの床面に載置自在なシート部材と、シート部材の一方の面から円柱状に突出した複数の突起部材で絶縁操作棒の自立型スタンドを構成し、絶縁操作棒の基端部をその外周方向から三点支持が可能に、複数の突起部材を規則的に配列することで、絶縁操作棒を転倒させることなく、複数の絶縁操作棒を効率よく立設できると考え、これに基づいて、以下のような新たな絶縁操作棒の自立型スタンドを発明するに至った。
【００３８】
（１）本発明による絶縁操作棒の自立型スタンドは、少なくともバケットの床面上に、一つ以上の絶縁操作棒を自立状態で保持できる絶縁操作棒の自立型スタンドであって、前記バケットの床面に載置自在なシート部材と、前記シート部材の一方の面から円柱状に突出した複数の突起部材と、を備え、これらの突起部材は、前記絶縁操作棒の基端部をその外周方向から三点支持が可能に規則的に配列している。
【００３９】
（２）前記突起部材は、硬質の合成樹脂からなることが好ましい。
【００４０】
（３）前記突起部材は、その先端部を半球状に形成していることが好ましい。
【００４１】
（４）前記シート部材は、前記バケットの床面の全領域に亘り敷設していることが好ましい。
【００４２】
（５）前記突起部材は、軟質の合成樹脂からなり、前記シート部材は、前記バケットの床面の一部の領域に敷設していてもよい。
【発明の効果】
【００４３】
本発明による絶縁操作棒の自立型スタンドは、バケットの床面に載置自在なシート部材と、シート部材の一方の面から円柱状に突出した複数の突起部材で絶縁操作棒の自立型スタンドを構成し、絶縁操作棒の基端部をその外周方向から三点支持が可能に、複数の突起部材をシート部材に規則的に配列することで、絶縁操作棒を転倒させることなく、複数の絶縁操作棒を効率よく立設できる。
【図面の簡単な説明】
【００４４】
【図１】本発明の一実施形態による絶縁操作棒の自立型スタンドの構成を示す斜視図である。
【図２】前記実施形態による絶縁操作棒の自立型スタンドの構成を示す斜視図であり、自立型スタンドをバケットの内部に設置した状態図である。
【図３】前記実施形態による絶縁操作棒の自立型スタンドの構成を示す平面図である。
【図４】前記実施形態による絶縁操作棒の自立型スタンドの構成を示す正面図である。
【図５】前記実施形態による絶縁操作棒の自立型スタンドの構成を示す斜視図であり、絶縁操作棒の基端部を複数の突起部材の間に挿入した状態図である。
【図６】前記実施形態による絶縁操作棒の自立型スタンドの構成を示す斜視図であり、自立型スタンドをバケットの内部に設置して作業している状態図である。
【図７】一例によるバケットの構成を示す斜視図である。
【図８】一例による共用操作棒の構成を示す正面図である。
【図９】図８の先端部側及び基端部側を拡大した斜視図である。
【図１０】共用操作棒の先端部に着脱自在な先端工具の一例による構成を示す正面図である。
【図１１】共用操作棒を自立可能な固定台の構成を示す斜視図である。
【図１２】共用操作棒を自立可能な固定台の構成を示す正面図であり、共用操作棒を固定台に連結した状態図である。
【発明を実施するための形態】
【００４５】
以下、図面を参照して本発明を実施するための形態を説明する。
［絶縁操作棒の自立型スタンドの構成］
最初に、本発明の一実施形態による絶縁操作棒の自立型スタンドの構成を説明する。
【００４６】
なお、本発明による自立型スタンドに適用される絶縁操作棒を共用操作棒として説明するが、絶縁操作棒は、共用操作棒に限定されることなく、先端部に一対の把持腕を有する絶縁操作棒、いわゆる、絶縁ヤットコなどにも適用できる。
【００４７】
図１は、本発明の一実施形態による絶縁操作棒の自立型スタンドの構成を示す斜視図である。図２は、前記実施形態による絶縁操作棒の自立型スタンドの構成を示す斜視図であり、自立型スタンドをバケットの内部に設置した状態図である。
【００４８】
図３は、前記実施形態による絶縁操作棒の自立型スタンドの構成を示す平面図である。図４は、前記実施形態による絶縁操作棒の自立型スタンドの構成を示す正面図である。
【００４９】
図５は、前記実施形態による絶縁操作棒の自立型スタンドの構成を示す斜視図であり、絶縁操作棒の基端部を複数の突起部材の間に挿入した状態図である。
【００５０】
図６は、前記実施形態による絶縁操作棒の自立型スタンドの構成を示す斜視図であり、自立型スタンドをバケットの内部に設置して作業している状態図である。
【００５１】
なお、従来技術で使用した符号と同じ符号を有する構成品は、その作用を同じとするので、以下説明を省略することがある。
【００５２】
（全体構成）
次に、本発明の一実施形態による絶縁操作棒の自立型スタンドの全体構成を説明する。図１から図６を参照すると、本発明の一実施形態による絶縁操作棒の自立型スタンド（以下、スタンドと略称する）１０は、矩形のシート部材１と複数の突起部材２で構成している。シート部材１は、バケットＢｔの床面に載置できる（図２参照）。突起部材２は、シート部材１の一方の面から円柱状に突出している。
【００５３】
図１又は図３及び図４を参照すると、複数の突起部材２は、千鳥格子状に規則的に配列している。図３又は図５を参照して、三本の突起部材２で囲まれた隙間に、共用操作棒７の基端部を挿入すると、三本の突起部材２は、共用操作棒７の基端部をその外周方向から三点支持できる。これにより、共用操作棒７を傾倒が困難に自立できる。
【００５４】
図１から図６を参照すると、実施形態によるスタンド１０は、共用操作棒７の基端部をその外周方向から三点支持が可能に、複数の突起部材２をシート部材１に規則的に配列することで、共用操作棒７を転倒させることなく、複数の共用操作棒７を効率よく立設できる。
【００５５】
（シート部材の構成）
次に、実施形態によるシート部材１の構成を説明する。図１から図６を参照して、シート部材１は、バケットＢｔの床面の全領域に亘り敷設できるように構成できる。これにより、バケットＢｔの内部のどの場所にも共用操作棒７を自立できる。
【００５６】
図２を参照して、シート部材１をバケットＢｔの床面の全領域に亘り敷設できるように、シート部材１は、その長さＬ×幅Ｗを１００ｃｍ×７０ｃｍ程度に形成することが好ましい（図１参照）。又、シート部材１をバケットＢｔの床面の全領域に亘り敷設した場合には、複数の突起部材２の先端縁が作業者Ｍの踏面となるが、降雨などにより、バケットＢｔの内部が滞水しても、作業者Ｍの足元が濡れないというメリットがある。
【００５７】
図１から図６を参照して、シート部材１は、硬質の合成樹脂からなってもよく、複数の突起部材２を一体成形してもよい。シート部材１は、バケットＢｔの床面の一部の領域に敷設できるように、その面積を変えることもできる。この場合、複数の突起部材２は、軟質の合成樹脂からなることが好ましい。
【００５８】
図１から図６を参照して、シート部材１は、バケットＢｔの内壁に沿って、バケットＢｔの床面に帯状に敷設してもよく、これにより、作業者Ｍの通行を妨げることなく、複数の共用操作棒７をバケットＢｔの内壁に沿って自立できる。又、複数の突起部材２を軟質の合成樹脂で構成することで、共用操作棒７の基端部の外径差を吸収できる。
【００５９】
（突起部材の構成）
次に、実施形態による突起部材２の構成を説明する。図１から図６を参照すると、突起部材２は、その先端部を半球状に形成していることが好ましい。突起部材２の先端部を半球状に形成することで、共用操作棒７の基端部を三本の突起部材２の間に容易に導入できる。
【００６０】
図１から図６を参照して、シート部材１をバケットＢｔの床面の全領域に亘り敷設する形態では、突起部材２は、硬質の合成樹脂からなることが好ましい。突起部材２を硬質の合成樹脂で構成することで、作業員の体重による突起部材２の座屈を防止できる。
【００６１】
図１から図６を参照して、複数の突起部材２は、シート部材１と一体成形してもよい。又、突起部材２は、その内部を中空に形成してもよい。突起部材２は、その高さＨを７ｃｍから１０ｃｍ程度に形成することが好ましい。突起部材２の高さＨを７ｃｍから１０ｃｍ程度に形成することで、全長が１３０ｃｍから１７０ｃｍ程度の絶縁操作棒を転倒させることなく自立できる。
【００６２】
［絶縁操作棒の自立型スタンドの作用］
次に、実施形態によるスタンド１０の作用及び効果を説明する。
【００６３】
図１から図６を参照すると、スタンド１０は、バケットＢｔの床面に載置自在なシート部材１と、シート部材１の一方の面から円柱状に突出した複数の突起部材２で構成している。そして、複数の突起部材２は、共用操作棒７の基端部をその外周方向から三点支持が可能に規則的に配列している。
【００６４】
図１から図６を参照すると、スタンド１０は、共用操作棒７の基端部をその外周方向から三点支持が可能に、複数の突起部材２をシート部材１に規則的に配列することで、共用操作棒７を転倒させることなく、複数の共用操作棒７を効率よく立設できる。
【００６５】
図１から図６を参照すると、実施形態によるスタンド１０は、シート部材１をバケットＢｔの床面の全領域に亘り敷設できるように構成している。これにより、バケットＢｔの内部のどの場所にも共用操作棒７を自立できる。
【００６６】
本発明による絶縁操作棒の自立型スタンドは、次のような効果が期待できる。
（１）絶縁操作棒を起立状態に自立できるので、バケットの内部で絶縁操作棒同士が絡まる心配が無くなる。
（２）絶縁操作棒をバケットの内部の任意の場所に位置固定できる。
（３）絶縁操作棒を取りやすい位置へ固定することで、スムーズな作業を実施できる。
（４）複数の絶縁操作棒でバケットの内部が煩雑になることを防止できる。
（５）バケットの内部を整理整頓する手間が不要になる。
【００６７】
本発明は、バケットの内部で使用するのに好適な絶縁操作棒の自立型スタンドを開示したが、本発明による絶縁操作棒の自立型スタンドは、バケットに限定されることなく、地上で適用することが期待される。
【符号の説明】
【００６８】
１  接続金具
２  主軸
７  共用操作棒（絶縁操作棒）
１０  スタンド（絶縁操作棒の自立型スタンド）
Ｂｔ  バケット
【図１】
2019047562.tif 000003
【図２】
2019047562.tif 000004
【図３】
2019047562.tif 000005
【図４】
2019047562.tif 000006
【図５】
2019047562.tif 000007
【図６】
2019047562.tif 000008
【図７】
2019047562.tif 000009
【図８】
2019047562.tif 000010
【図９】
2019047562.tif 000011
【図１０】
2019047562.tif 000012
【図１１】
2019047562.tif 000013
【図１２】
2019047562.tif 000014